(57)【要約】【課題】木質素材や竹質素材の如く湿度及び／又は温度の影響による伸縮率が高くて、隙間なく壁面に張り詰めた場合、反りや膨らみが発生する。本発明は湿度、温度の高低により装飾層が吸湿又は乾燥した場合でも反りやふくらみが発生せず、かつ衛生面の管理も容易な、装飾タイルを提供することを課題とする。【解決手段】壁面に敷き詰めて使用可能な平面外形を備えた装飾タイル。装飾形成部材１０と該装飾形成部材１０を着脱自在に保持するタイル枠体２０とを備え、装飾形成部材１０は、湿度及び／又は温度により伸縮する剛性材質の剛性装飾層１２を備え、タイル枠体２０は、装飾形成部材１０の伸び方向の両端部を、伸び量を吸収して覆うモール部２４を備え、該モール部２４は前記装飾形成部材１０を着脱自在に保持する構成であることを特徴とする装飾タイルである。【選択図】図２
2005200898.tif 000002
【特許請求の範囲】
【請求項１】
壁面に敷き詰めて使用可能な平面外形を備えた装飾タイルであって、
装飾形成部材と該装飾形成部材を着脱自在に保持するタイル枠体とを備え、
前記装飾形成部材は、湿度及び／又は温度により伸縮する剛性材質の剛性装飾層を備え、
前記タイル枠体は、前記装飾形成部材の伸び方向の両端部を、伸び量を吸収して覆うモール部を備え、該モール部は前記装飾形成部材を着脱自在に保持する構成であることを特徴とする装飾タイル。
【請求項２】
前記装飾形成部材が、湿度及び／又は温度により伸縮する剛性材質の剛性装飾層と、該剛性装飾層を裏打ちするクッション層とを備え、適宜、該クッション層は前記剛性装飾層から取り外し可能に一体化されていることを特徴とする請求項１記載の装飾タイル。
【請求項３】
前記装飾形成部材を着脱自在に保持する構成が、前記モール部を弾性的に強制拡開可能とされて形成されていることを特徴とする請求項１又は２記載の装飾タイル。
【請求項４】
前記モール部が、弾性変形可能な合成樹脂製の板状部材で形成されていることを特徴とする請求項３記載の装飾タイル。
【請求項５】
前記タイル枠体が方形であり、かつ、前記モール部が四方に形成されていることを特徴とする請求項１〜４いずれか一記載の装飾タイル。
【請求項６】
前記装飾形成部材の剛性装飾層が、木質ストリップ又は竹質ストリップ（以下「木質ストリップ等」という。）を並列結合又は編み結合させたものであることを特徴とする請求項１〜５いずれか一記載の装飾タイル。
【請求項７】
前記装飾形成部材が、籐ストリップで並列結合されて形成された剛性装飾層と、フェルト等の伸縮追従可能な裏打ち層とを備えていることを特徴とする請求項６記載の装飾タイル。
【請求項８】
前記タイル枠体のベース部材がエラストマー材料で形成されていることを特徴とする請求項１〜７いずれか一記載の装飾タイル。
【発明の詳細な説明】
【技術分野】
【０００１】
本発明は、壁面に敷き詰めて使用可能な平面外形を備えた装飾タイルに関する。更に詳しくは、特に、木質素材や竹質素材の如く湿度及び／又は温度の影響による伸縮率が高くて、隙間なく壁面に張り詰めた場合、反りや膨らみが発生する材質の装飾層を備えた装飾タイルに関する。ここで壁面とは、床面を含む概念である。
【０００２】
本明細書では、装飾タイルを張詰める壁面として床面を例に採り説明するが、他の壁面、立壁面、天井壁面等にも本発明の装飾タイルの適用が期待できる。また、素材として主として籐（ヤシ科蔓性木本の茎）を使用する場合を例に採り説明するが、他の木質系、竹質系、さらには、上記の如く、隙間なく壁面に張詰めた場合、反りや膨らみが発生する材質であれば、天然素材、合成素材（吸湿系プラスチック）を問わない。
【背景技術】
【０００３】
近年、天然素材が生活用品・健康用品として注目されるに伴い、木質や竹質の素材が床材料として見直されるようになった。中でも籐は、光沢、感触、耐久性に優れるため一般住宅向けの床材としてだけでなく、ゴルフ場や旅館内に設けられた大衆浴場の脱衣場の床材としても多く利用されている。
【０００４】
こうした床敷きの籐製（装飾）タイルとして、例えば、下から順にベース層、クッション層及び籐製装飾層（剛性装飾層）が積層され接着剤で一体化された方形板状ものがある。ここで、ベース層は、壁面に対する敷設性ないし馴染み性を確保するためにゴムシート等から形成される。また、クッション層は、足裏への感触をソフトにするためのフェルト等から形成される。そして、籐製装飾層は、籐のストリップを縦方向に配列し紐等でスノコ状に結束したもの（以下「籐表」という。）が多く利用されている。
【０００５】
従来、例えば籐製装飾タイルは、前記加工後周縁部に布やかがり糸等で縁取りを付けたものを床に直接貼り付けながら敷き詰めて使用されている(特許文献1)。
【０００６】
しかし、こうして敷き詰められた装飾タイルの籐製装飾層は、湿度、温度の高低により吸湿又は乾燥した場合の伸縮性に富むため、籐製装飾層と前記クッション層とが接着されていると、籐製装飾層に反りやふくらみが発生する。この現象は、タイルとタイルの境界部において段を発生させ足裏が籐製装飾層の末端に引っ掛かリ易くなるという問題を引き起こしていた。
【０００７】
この問題を解決するため、本願出願人は、先に「籐皮ストリップを籐敷物の縦横方向に対して斜めに配列して紐で結束したことを特徴とする籐敷物」を提案した（特許文献２）。しかし、前記引っ掛かりを防止することはできても籐製装飾層の反りやふくらみを防止するものではない。
【０００８】
さらに、床面を清潔に保つため前記クッション層に使用される不織布等を乾燥させる必要が生じても、籐製装飾層及び／又はクッション層をベース層から取り外すことができず、衛生管理のし易さにも問題があった。
【特許文献１】実開平６−３７４３２号公報
【特許文献２】特開２００２−４５２８９号公報
【発明の開示】
【発明が解決しようとする課題】
【０００９】
上記問題にかんがみ、本発明は湿度、温度の高低により装飾層が吸湿又は乾燥した場合でも反りやふくらみが発生せず、かつ衛生面の管理も容易な、装飾タイルを提供することを課題とする。
【課題を解決するための手段】
【００１０】
上記問題を解決するため本発明は、壁面に敷き詰めて使用可能な平面外形を備えた装飾タイルであって、
装飾形成部材と該装飾形成部材を着脱自在に保持するタイル枠体とを備え、
前記装飾形成部材は、湿度及び／又は温度により伸縮する剛性材質の剛性装飾層を備え、
前記タイル枠体は、前記装飾形成部材の伸び方向の両端部を、伸び量を吸収して覆うモール部を備え、該モール部は前記装飾形成部材を着脱自在に保持する構成であることを特徴とする装飾タイルである。
【００１１】
装飾形成部材とタイル枠体とが着脱自在であるため、装飾タイルを床に施工後も必要に応じて装飾形成部材のみの取り外しが可能であり、装飾形成部材の裏面を乾燥し、さらに、清掃・滅菌処理することが可能となる。装飾形成部材の裏面は、風通しが悪く、細菌（病原菌）、カビ、ダニ等が発生し易い。
【００１２】
また、モールにより装飾形成部材を保持する構造において装飾形成部材の伸び方向の両端部に伸び量を吸収する隙間を備えた構成であるため、隣接するタイルの装飾形成部材と干渉して装飾層がふくらむことを防止できる。
【００１３】
本発明に係る装飾タイルは、通常、装飾形成部材が湿度及び／又は温度により伸縮する剛性材質の剛性装飾層と、該剛性装飾層を裏打ちするクッション層とを備える構成とし、適宜、該クッション層は前記剛性装飾層から取り外し可能に一体化した構成とする。
【００１４】
この場合、クッション層は、歩行時におけるソフト感を付与するとともに、音のこもりを防ぐ作用を奏する。そして、剛性装飾層とクッション層とを取り外し可能とした場合は、装飾タイルの裏面側のクッション層の乾燥・清掃・除菌がより容易となる。クッション層は、吸湿し易くて、細菌（病原菌）・カビ・ダニ等が繁殖し易いため衛生的観点からより望ましい。
【００１５】
また、本発明に係る装飾形成部材を着脱自在に保持する構成は、モール部を弾性的に強制拡開可能に形成することが、装飾形成部材の着脱が容易となり望ましい。ここで、モール部を、弾性変形可能な合成樹脂製の板状部材で形成すれば、当該着脱はさらに容易となる。
【００１６】
通常、タイル枠体は方形（矩形）とし、かつ、モール部を四辺に形成することが望ましい。通常、方形（矩形）である壁面（床面）に敷詰めやすく、かつ、その際、方向性を考慮する必要がない。
【００１７】
また、前記装飾形成部材の剛性装飾層は、通常、木質ストリップ又は竹質ストリップ（以下「木質ストリップ等」という。）を並列結合又は編み結合させたものとする。
【００１８】
前記装飾形成部材は、籐ストリップを並列結合して形成された剛性装飾層と、フェルト等の伸縮追従可能な裏打ち層とを備えたものとすることが望ましい。籐は、他の一般天然素材に比較して吸湿性・通気性に優れ水分や湿気に強く、かつ調湿性を備えるため、じめじめした感じを与えない。籐は、高温多湿の東南アジアで栽培されるヤシ科蔓性木本の茎だからである。また、フェルトは安価で通気性及び吸湿・放湿性を有しており、前記籐ストリップと協働して、エア浄化に寄与することが期待できる。なお、フェルト中に銅等の滅菌繊維を混入させれば、滅菌作用が期待できる。
【００１９】
また、タイル枠体のベース部材としてはエラストマー材料が望ましい。壁面の微小凹凸を吸収でき、敷き詰め作業性が向上する。
【発明を実施するための最良の形態】
【００２０】
以下本発明の望ましい実施形態について詳細に説明する。ここでは、剛性装飾層として籐表を例にとり、かつ、正方形の装飾タイルを、床面に施工する場合を例に採り説明するが、これに限られるものでない。特許請求の範囲の欄における各請求項に記載された範囲
内において、種々の態様に及ぶ。
【００２１】
また、装飾タイルは、正方形を含む矩形に限らず、壁面に敷き詰め可能であれば、三角形、ひし形、台形、六角形等任意である。
【００２２】
装飾タイルの一実施形態を図１、２に示す。図２は、図１の装飾タイルの２−２断面を示している。
【００２３】
基本的には、装飾形成部材１０と該装飾形成部材１０を着脱自在に保持するタイル枠体２０とからなる。
【００２４】
そして、装飾層形成部材１０は、剛性装飾層（籐表）１２と、該剛性装飾層を裏打ちするクッション層１４とを備えたものである。なお、装飾形成部材は、剛性装飾層１２のみでもよい。剛性装飾層１２は、湿度及び／又は温度により伸縮する剛性材質であれば、特に限定されないが、木質ストリップ又は竹質ストリップ（以下「木質ストリップ等」という。）を並列結合又は編み結合させたものであることが望ましい。木質ストリップ等は、呼吸する天然素材であり、エア浄化（室内環境の向上：アメニティ化）に寄与するとともに、下側層への通気・蒸気通過が可能となる。なお、合成樹脂製ストリップ等を並列結合または編結合したものでもよい。このとき、籐表（剛性装飾層）１２の厚みは、通常、１〜２ｍｍとする。
【００２５】
また、クッション層１４の材料としては、フェルト（不織布）、編織物（パイル織物）、スポンジシート等を使用することができる。フェルト、としては、ポリエステル繊維、ナイロン繊維、ポリプロピレン繊維、アクリル繊維等の合成繊維からなる不織布を使用でき、さらにはタフテッドカーペット、織カーペット、編カーペット等のカーペットを使用することも可能である。本実施例では合成繊維からなる不織布を使用した。該クッション層１４は敷設目的に応じて不要な場合もあるが、設ける場合その厚さは自由に設計することができる。例えば、０．５〜４ｍｍとする。
【００２６】
そして、籐表１２とクッション層１４との合計厚みは、例えば、２〜７ｍｍとする。藤表１２とクッション層１４とは、通常、ウレタン系又はゴム系接着剤で一体化するが、経時使用後の分離が容易なように両面接着テープで部分接着させて一体化してもよく、さらには、面ファスナー等で籐表１２からクッション層１４を取り外し可能としてもよい。
【００２７】
また、タイル枠体２０は、矩形（図例では正方形）であり、ベース層２２と、ベース層２２の四方に貼着形成されモール部２４とを備えている。
【００２８】
タイル枠体２０のベース層２２の材料としては合板、ハードボード、パーチクルボード等の剛性板を使用することもできるが、通常、天然・合成ゴム又は熱可塑性エラストマー（ＴＰＥ）等のエラストマー材料を使用する。天然・合成ゴムとしては、耐候性を有するエチレンプロピレンゴム（ＥＰＭ）、クロロプレンゴム（ＣＲ）等が望ましい。また、ＴＰＥとしては、エステル系、アミド系、ウレタン系、スチレン系、オレフィン系等を挙げることができる。さらに敷設面と馴染ませるために、図示はしていないが、適宜、該ベース層２２の下にさらに前記エラストマー部材、スポンジシート等からなるクッション層を設けてもよい。
【００２９】
ここで、装飾タイルの大きさは、即ち、ベース層２２の大きさは、敷設目的や場所に応じて適宜選定するが、例えば、約４０〜６０ｃｍ四方とする。また、ベース層２２の厚さは、該装飾タイルの大きさ、敷設面との馴染み易さにもよるが、５〜１０ｍｍが適当である。薄過ぎると枠体としての形状を保てずまた壁面に対する馴染み性を確保し難く、逆に、厚過ぎると重量が増して取り扱いに問題が発生し易いとともに、材料費の無駄である。
【００３０】
そして、ベース層２２の四辺に貼着形成されたモール部２４は、クッション層１４と籐表１２とからなる装飾形成部材１０を保持している。保持が容易なように、になっている。各辺のモール部２４は、クッション層１４の四隅に形成された対角線方向の切れ目（分割線）２６により各モール部要素２４ａが、それぞれ独立して拡開可能とされている。なお、切れ目は、４辺のモール部要素の各中央部に設けてもよい。
【００３１】
このため、手で容易に装飾形成部材１０を、タイル枠体２０に対して着脱することができる。また四辺全てにモール部２４を有していなくても、クッション層１４、籐表１２を保持可能であれば、いずれか相対向する二辺のみに設けてもよい。ただし二辺のみに設けた場合は、籐スリップの両木口に、歩いたとき足裏が引っ掛からないように、丁寧に仕上げておく必要がある。
【００３２】
モール部２の形成材としては弾性変形可能な合成樹脂製の板状部材、例えばポリエチレン（ＰＥ）、ポリプロピレン（ＰＰ）、ポリ塩化ビニル（ＰＶＣ）、ポリエステル（ＰＥＴ）、ポリアミド（ＰＡ）、ポリアセタール（ＰＯＭ）等を挙げることができる。なお、板状部材の幅及び厚みは、タイル枠体の外形が上記４０〜６０cm四方大きさで、形成材がプラスチック（合成樹脂）の場合、例えば、幅：１０〜２０ｍｍ、厚み：０．５〜１ｍｍとする。
しかし、これらの材料に限らず弾性的にモール部２４が拡開できる材料であれば、前記エラストマー部材、金属ばね板材、さらには形状記憶合金等でもモール部２４を形成することができる。金属ばね板材、形状記憶合金などの金属材を使用する場合は、足裏触感の見地からゴム・樹脂被覆しておくことが望ましい。
【００３３】
そして、ここでモール部２４の保持壁（把持壁）２４ａの把持断面形状は、図例では、上側断面湾曲ひさし形状とされているが、これに限らず、断面コ字形、Ｕ字形等任意である。保持性向上の見地から、モール部の開口部は先細り（テーパ状）にしてもよいが、テーパが大き過ぎるとかえって装飾形成部材の着脱が困難になる。なお、このときのテーパ角は５〜３０°、望ましくは１０〜２０°とする。
【００３４】
このとき、保持壁２４ａの開口高さｈは、装飾形成部材１０の厚みｔとの関係は、１ｍｍ＞ｔ−ｈ＞０ｍｍとすることが望ましい。厚みと保持壁２４ａの間に隙間があると、装飾形成部材１０がずり移動しやすく、また、厚さが厚すぎると、はめ込み作業性に問題が発生し易い。
【００３５】
また、保持壁２４ａの形成する溝底と装飾形成部材１０の外周縁との隙間αは、すなわち、装飾形成部材１０をモール部２４で保持したときに形成される隙間の装飾形成部材１０の外周方向の大きさは、２〜１０ｍｍ、望ましくは、３〜５ｍｍ程度とする。小さ過ぎる場合、前記伸び量を充分吸収することができないおそれがあり、大き過ぎる場合、装飾形成部材１０が一方にずり移動して、隙間が発生するおそれがある。
【００３６】
本発明に係る装飾タイルの特徴は、前記クッション層１４及び籐表１２をタイル枠体から取り外し、又は取り付けが可能なことにある。モール部２４を手で拡開しながら籐表１２を取り外した後、クッション層１４を取り外すことができる。
【００３７】
図３は、本発明に係る装飾タイルを敷設した場合の一例を示す斜視図である。例えば浴場施設の脱衣場の床に本発明の装飾タイルを敷設した場合、籐表１２及びクッション層１４が吸湿すると籐表１２の籐ストリップが伸長する。そのとき従来の装飾タイルでは該伸び量を吸収できず、隣接するタイルが干渉して各タイルがふくらむという問題があったが、本装飾タイルでは前記伸び量がモール部に吸収され、籐表がふくらむという問題は発生しない。モールの立ち上がり部２０とクッション層及び籐表の端部との間には伸び吸収隙間が形成されているため、伸び量の吸収が可能だからである。
【図面の簡単な説明】
【００３８】
【図１】本発明の装飾タイルの一実施形態を示す平面図である。
【図２】図１の２−２線断面図である。
【図３】本発明の装飾タイルの敷設例を示す平面図である。
【図４】図３の４−４線における切断斜視図である。
【符号の説明】
【００３９】
１０  装飾形成部材
１２  剛性装飾層（籐表）
１４  クッション層
２０  タイル枠体
２２  ベース層
２４  モール部
２４ａ  装飾形成部材保持壁
２５  モール部要素
【図１】
2005200898.tif 000003
【図２】
2005200898.tif 000004
【図３】
2005200898.tif 000005
【図４】
2005200898.tif 000006